(57)【特許請求の範囲】
【請求項１】
円形枠状のハウジングを基体とし、振動を伝搬するダイアフラムと、ダイアフラムの内面側に取り付けられるボイスコイルと、磁気回路用のマグネットと、マグネットを挟持して保持するヨーク及びポールピースとからなる磁気回路部と、更に、磁気回路部を支持する薄板状のスプリングとを備え、該スプリングをハウジングの径内に嵌め込んでマグネットを含む磁気回路部を支持し、ダイアフラムをハウジングの開放口に嵌め合せると共に、ボイスコイルを磁気回路部と近接位置させて組み立てられる電磁誘導型アクチュエータ装置において、
耐衝撃用のストッパとして外周縁よりハウジングの壁内面に向けて近接位置する複数個の突片を円周方向等間隔毎に設けたヨークを備え、且つ、ヨークの外周に嵌り合う内輪部と、ハウジングの径内に嵌り合う外輪部と、両輪部の円周方向等間隔毎に等距離ずつ延びて内，外輪部を連結する橋絡アーム部と、相隣り合う橋絡アーム部の間隔内でヨークの各突片と相対位置する逃げ空間とを有するスプリングを備え、
ヨークの各突片をスプリングの逃げ空間と相対位置させてスプリングを内輪部でヨークの外周に嵌め込み、そのスプリングを外輪部でハウジングの径内に嵌め込んでヨークと一体のスプリングをハウジングの内部に張設してなることを特徴とする電磁誘導型アクチュエータ装置。
【請求項２】
同じ形状を有する二つのスプリングと、耐衝撃用のストッパとなる各突片を外周縁よりＬ字状に段下げさせて設けたヨークと、ヨークの外周に嵌り合うストッパリング並びにリングワッシャとを備え、ヨークの各突片を第１のスプリングの相対する逃げ空間の内側に位置させて第１のスプリングを内輪部でヨークの外周に嵌め込むと共に、ストッパリングをヨークの外周に嵌め込んで第１のスプリングの内輪部を押え、
上記ヨークの各突片を第２のスプリングの逃げ空間と相対位置させて第２のスプリングを内輪部でヨークの外周に嵌め込んで該内輪部をストッパリングにあてがうと共に、リングワッシャをヨークの外周に嵌め込んで第２のスプリングの内輪部を押え、第１並びに第２のスプリングを各外輪部でハウジングの径内に嵌め込んでヨークと一体のスプリングをハウジングの内部に張設してなることを特徴とする請求項１に記載の電磁誘導型アクチュエータ装置。
【請求項３】
スプリングの外輪部間に挟み込むスぺーサリングと、ハウジングの内側に嵌り合う立上り縁を有するカバーとを備え、スぺーサリングを各スプリングの外輪部の間に挟み込み、そのスプリングを各外輪部でハウジングの径内に嵌め込むと共に、第１のスプリングの外輪部をハウジングの開放口近くで径内に張り出す止め縁で押え、更に、カバーを立上り縁でダイアフラムと相対するハウジングの開放口に嵌め合せると共に、第２のスプリングの外輪部をカバーの立上り縁で押えてヨークと一体のスプリングをハウジングの内部に張設してなることを特徴とする請求項２に記載の電磁誘導型アクチュエータ装置。
【請求項４】
請求項１から請求項３のいずれかに記載の電磁誘導型アクチュエータ装置を組み込んだことを特徴とする携帯用通信機器。
【請求項５】
円形枠状のハウジングを基体とし、振動を伝搬するダイアフラムと、ダイアフラムの内面側に取り付けられるボイスコイルと、磁気回路用のマグネットと、マグネットを挟持して保持するヨーク及びポールピースとからなる磁気回路部と、更に、磁気回路部を支持する薄板状のスプリングとを備え、該スプリングをハウジングの径内に嵌め込んでマグネットを含む磁気回路部を支持し、ダイアフラムをハウジングの開放口に嵌め合せると共に、ボイスコイルを磁気回路部と近接位置させて組み立てられる電磁誘導型アクチュエータ装置において、
耐衝撃用のストッパとして外周縁よりハウジングの壁内面に向けて突出位置する複数個の突片を円周方向等間隔毎に設けたストッパリングを備え、且つ、ヨークの外周に嵌り合う内輪部と、ハウジングの径内に嵌り合う外輪部と、両輪部の円周方向等間隔毎に等距離ずつ延びて内，外輪部を連結する橋絡アーム部と、相隣り合う橋絡アーム部の間隔内でストッパリングの各突片と相対位置する逃げ空間とを有するスプリングを備え、
スプリングを内輪部でヨークの外周に嵌め込むと共に、ストッパリングの各突片をスプリングの逃げ空間と相対位置させてストッパリングをヨークの外周に嵌め込んで該スプリングの内輪部を押え、このスプリングを外輪部でハウジングの径内に嵌め込んでヨークと一体のスプリングをハウジングの内部に張設してなることを特徴とする電磁誘導型アクチュエータ装置。
【請求項６】
同じ形状を有する二つのスプリングと、耐衝撃用のストッパとなる各突片を周側面より突出させて設けたストッパリングと、ヨークの外周に嵌り合うリングワッシャとを備え、第１のスプリングを内輪部でヨークの外周に嵌め込むと共に、ストッパリングの各突片を第１のスプリングの逃げ空間と相対位置させてストッパリングをヨークの外周に嵌め込んで該スプリングの内輪部を押え、
上記ストッパリングの各突片を第２のスプリングの逃げ空間と相対位置させて第２のスプリングを内輪部でヨークの外周に嵌め込んで該内輪部をストッパリングにあてがうと共に、リングワッシャをヨークの外周に嵌め込んで第２のスプリングの内輪部を押え、第１並びに第２のスプリングを各外輪部でハウジングの径内に嵌め込んでヨークと一体のスプリングをハウジングの内部に張設してなることを特徴とする請求項５に記載の電磁誘導型アクチュエータ装置。
【請求項７】
スプリングの外輪部間に挟み込むスぺーサリングと、ハウジングの内側に嵌り合う立上り縁を有するカバーとを備え、スぺーサリングを各スプリングの外輪部の間に挟み込み、そのスプリングを各外輪部でハウジングの径内に嵌め込むと共に、第１のスプリングの外輪部をハウジングの開放口近くで径内に張り出す止め縁で押え、更に、カバーを立上り縁でダイアフラムと相対するハウジングの開放口に嵌め合せると共に、第２のスプリングの外輪部をカバーの立上り縁で押えてヨークと一体のスプリングをハウジングの内部に張設してなることを特徴とする請求項６に記載の電磁誘導型アクチュエータ装置。
【請求項８】
請求項５から請求項６のいずれかに記載の電磁誘導型アクチュエータ装置を組み込んだことを特徴とする携帯用通信機器。
【発明の詳細な説明】
【０００１】
【発明の属する技術分野】
本発明は、携帯電話，ページャ等の携帯用通信機器或いは腕時計，玩具等の小型機器に組付け装備される電磁誘導型アクチュエータ装置並びに携帯電話，ページャ等の携帯用通信機器に関するものである。
【０００２】
【従来の技術】
一般に、電磁誘導型アクチュエータ装置としては、円形枠状のハウジングを基体とし、振動を伝搬するダイアフラムと、ダイアフラムの内面側に取り付けられるボイスコイルと、磁気回路用のマグネットと、マグネットを挟持して保持するヨーク及びポールピースとからなる磁気回路部と、更に、磁気回路部を支持する薄板状のスプリングとを備え、該スプリングをハウジングの径内に嵌め込んでマグネットを含む磁気回路部を支持し、ダイアフラムをハウジングの開放口に嵌め合せると共に、ボイスコイルを磁気回路部と近接位置させて組み立てられるものがある。
【０００３】
その電磁誘導型アクチュエータ装置としては、磁気回路部をハウジングの内部で可動的に保持すると共に、その磁気回路部を薄板状のスプリングで支持するという構成から、使用者が落としても構造上壊れ難い耐衝撃性の高いものが求められている。
【０００４】
その耐衝撃性を付与するため、従来、磁気回路部がスプリングにより大きく横揺れしようとしても、磁気回路部（実際にはヨークの外径側）が当たるストッパとしてハウジングの壁面から内方に突出する凸部を設けることが行われている。然し、この凸部をハウジングの内壁面に設けると、その凸部を設ける分だけハウジングの径を大きく形成しなければならず、装置全体として径寸法の大きなものになってしまう。
【０００５】
その凸部をハウジングの内壁面に設けるのに代えて、例えば、耐衝撃用のストッパとして外周縁よりハウジングの壁内面に向けて近接位置する複数個の突片をヨークの円周方向等間隔毎に設けて備え付けることが試みられている。唯、この突片をヨークに設ける場合、そのヨークをスプリングで支持することから、突片がスプリングに当たらないようヨーク全体を設計，形成する必要がある。
【０００６】
その突片がスプリングに当たるのを避けるべく、突片がスプリングから離れるようヨーク自体の厚みを厚く形成すると、装置全体として厚みの大きいものとなって薄型化の妨げとなる。
【０００７】
【発明が解決しようとする課題】
本発明は、耐衝撃用のストッパとなる突片を設けても、ハウジングの径寸法を小さく保てると共に、特に装置全体として厚みも薄く抑えられて、薄型で小型なものに組み立てられ、音響特性も良好な電磁誘導型アクチュエータ装置を提供することを目的とする。
【０００８】
それに加えて、本発明は各構成部を容易に組み立てられると共に、各構成部の位置決めも容易に且つ正確にでき、また、組立性の良好な電磁誘導型のアクチュエータ装置を提供することを目的とする。
【０００９】
また、本発明は音響特性も良好な電磁誘導型アクチュエータ装置を組み込むことにより構成する携帯用通信機器を提供することを目的とする。
【００１０】
【課題を解決するための手段】
本発明の請求項１に係る電磁誘導型アクチュエータ装置においては、円形枠状のハウジングを基体とし、振動を伝搬するダイアフラムと、ダイアフラムの内面側に取り付けられるボイスコイルと、磁気回路用のマグネットと、マグネットを挟持して保持するヨーク及びポールピースとからなる磁気回路部と、更に、磁気回路部を支持する薄板状のスプリングとを備え、該スプリングをハウジングの径内に嵌め込んでマグネットを含む磁気回路部を支持し、ダイアフラムをハウジングの開放口に嵌め合せると共に、ボイスコイルを磁気回路部と近接位置させて組み立てられるもので、耐衝撃用のストッパとして外周縁よりハウジングの壁内面に向けて近接位置する複数個の突片を円周方向等間隔毎に設けたヨークを備え、且つ、ヨークの外周に嵌り合う内輪部と、ハウジングの径内に嵌り合う外輪部と、両輪部の円周方向等間隔毎に等距離ずつ延びて内，外輪部を連結する橋絡アーム部と、相隣り合う橋絡アーム部の間隔内でヨークの各突片と相対位置する逃げ空間とを有するスプリングを備え、ヨークの各突片をスプリングの逃げ空間と相対位置させてスプリングを内輪部でヨークの外周に嵌め込み、そのスプリングを外輪部でハウジングの径内に嵌め込んでヨークと一体のスプリングをハウジングの内部に張設することにより構成されている。
【００１１】
本発明の請求項２に係る電磁誘導型アクチュエータ装置においては、同じ形状を有する二つのスプリングと、耐衝撃用のストッパとなる各突片を外周縁よりＬ字状に段下げさせて設けたヨークと、ヨークの外周に嵌り合うストッパリング並びにリングワッシャとを備え、ヨークの各突片を第１のスプリングの相対する逃げ空間の内側に位置させて第１のスプリングを内輪部でヨークの外周に嵌め込むと共に、ストッパリングをヨークの外周に嵌め込んで第１のスプリングの内輪部を押え、更に、ヨークの各突片を第２のスプリングの逃げ空間と相対位置させて第２のスプリングを内輪部でヨークの外周に嵌め込んで該内輪部をストッパリングにあてがうと共に、リングワッシャをヨークの外周に嵌め込んで第２のスプリングの内輪部を押え、第１並びに第２のスプリングを各外輪部でハウジングの径内に嵌め込んでヨークと一体のスプリングをハウジングの内部に張設することにより構成されている。
【００１２】
本発明の請求項３に係る電磁誘導型アクチュエータ装置においては、スプリングの外輪部間に挟み込むスぺーサリングと、ハウジングの内側に嵌り合う立上り縁を有するカバーとを備え、スぺーサリングを各スプリングの外輪部の間に挟み込み、そのスプリングを各外輪部でハウジングの径内に嵌め込むと共に、第１のスプリングの外輪部をハウジングの開放口近くで径内に張り出す止め縁で押え、更に、カバーを立上り縁でダイアフラムと相対するハウジングの開放口に嵌め合せると共に、第２のスプリングの外輪部をカバーの立上り縁で押えてヨークと一体のスプリングをハウジングの内部に張設することにより構成されている。
【００１３】
本発明の請求項４に係る携帯用通信機器においては、請求項１から請求項３のいずれかに記載の電磁誘導型アクチュエータ装置を組み込むことにより構成されている。
【００１４】
本発明の請求項５に係る電磁誘導型アクチュエータ装置においては、円形枠状のハウジングを基体とし、振動を伝搬するダイアフラムと、ダイアフラムの内面側に取り付けられるボイスコイルと、磁気回路用のマグネットと、マグネットを挟持して保持するヨーク及びポールピースとからなる磁気回路部と、更に、磁気回路部を支持する薄板状のスプリングとを備え、該スプリングをハウジングの径内に嵌め込んでマグネットを含む磁気回路部を支持し、ダイアフラムをハウジングの開放口に嵌め合せると共に、ボイスコイルを磁気回路部と近接位置させて組み立てられるもので、耐衝撃用のストッパとして外周縁よりハウジングの壁内面に向けて突出位置する複数個の突片を円周方向等間隔毎に設けたストッパリングを備え、且つ、ヨークの外周に嵌り合う内輪部と、ハウジングの径内に嵌り合う外輪部と、両輪部の円周方向等間隔毎に等距離ずつ延びて内，外輪部を連結する橋絡アーム部と、相隣り合う橋絡アーム部の間隔内でストッパリングの各突片と相対位置する逃げ空間とを有するスプリングを備え、スプリングを内輪部でヨークの外周に嵌め込むと共に、ストッパリングの各突片をスプリングの逃げ空間と相対位置させてストッパリングをヨークの外周に嵌め込んで該スプリングの内輪部を押え、このスプリングを外輪部でハウジングの径内に嵌め込んでヨークと一体のスプリングをハウジングの内部に張設することにより構成されている。
【００１５】
本発明の請求項６に係る電磁誘導型アクチュエータ装置においては、同じ形状を有する二つのスプリングと、耐衝撃用のストッパとなる各突片を周側面より突出させて設けたストッパリングと、ヨークの外周に嵌り合うリングワッシャとを備え、第１のスプリングを内輪部でヨークの外周に嵌め込むと共に、ストッパリングの各突片を第１のスプリングの逃げ空間と相対位置させてストッパリングをヨークの外周に嵌め込んで該スプリングの内輪部を押え、更に、ストッパリングの各突片を第２のスプリングの逃げ空間と相対位置させて第２のスプリングを内輪部でヨークの外周に嵌め込んで該内輪部をストッパリングにあてがうと共に、リングワッシャをヨークの外周に嵌め込んで第２のスプリングの内輪部を押え、第１並びに第２のスプリングを各外輪部でハウジングの径内に嵌め込んでヨークと一体のスプリングをハウジングの内部に張設することにより構成されている。
【００１６】
本発明の請求項７に係る電磁誘導型アクチュエータ装置においては、スプリングの外輪部間に挟み込むスぺーサリングと、ハウジングの内側に嵌り合う立上り縁を有するカバーとを備え、スぺーサリングを各スプリングの外輪部の間に挟み込み、そのスプリングを各外輪部でハウジングの径内に嵌め込むと共に、第１のスプリングの外輪部をハウジングの開放口近くで径内に張り出す止め縁で押え、更に、カバーを立上り縁でダイアフラムと相対するハウジングの開放口に嵌め合せると共に、第２のスプリングの外輪部をカバーの立上り縁で押えてヨークと一体のスプリングをハウジングの内部に張設することにより構成されている。
【００１７】
本発明の請求項８に係る携帯用通信機器においては、請求項５から請求項７のいずれかに記載の電磁誘導型アクチュエータ装置を組み込むことにより構成されている。
【００１８】
【発明の実施の形態】
以下、添付図面を参照して説明すると、添付図面では第１の発明に係る電磁誘導型アクチュエータ装置の形態を図１〜図３で示し、第２の発明に係る電磁誘導型アクチュエータ装置の形態を図４，図５で示す。以下、各形態で共通する構成部は同じ符号で示す。
【００１９】
両者の共通する基本な構成部としては、図１並びに図４で示すように両側を開放口１ａ，１ｂとする円形枠状のハウジング１と、振動を伝搬するダイアフラム２と、ダイアフラム２の内面側に取り付けられるボイスコイル３と、磁気回路用のマグネット４と、マグネット４を保持するヨーク５と、ヨーク５を支持する薄板状のスプリング６，７とが備えられている。
【００２０】
その構成部中、スプリング６，７としては同じ形状を有するものを二つ備えてダブルサスペンス構造に構成されている。この他に、共通する基本な構成部としてはマグネット４の上面側に固定されるポールピース８と、ハウジング１の開放口１ｂに嵌め込まれるカバー９とが備えられている。カバー９としてはハウジング１の内側に嵌り合う立上り縁９ａを有し、底部９ｂが開放された枠状のものが備え付けられている。
【００２１】
ハウジング１には、後述する如くスプリング６を押える複数の止め縁１ｃ〜１ｅが開放口１ａの近くで径内に突出するよう円周方向等間隔毎に三つまたは四つ程度の複数設けられている。また、ハウジング１の側面には端子台１ｆ，１ｇが外方に突出するよう設けられ、＋，−極用の端子金具１ｈ，１ｉが端子台１ｆ，１ｇを各々くわえ込んで装着するよう備え付けられている。
【００２２】
第１の発明に係る電磁誘導型アクチュエータ装置では、耐衝撃用のストッパとして外周縁よりハウジング１の壁内面に向けて近接位置する三個程度の均等間隔を保つ複数個の突片５０〜５２を円周方向に設けたヨーク５が備え付けられている。そのヨーク５は、ヨーク本体が後述するコイル３を挿置可能な磁気ギャップＧを保ってマグネット４を収容固定する断面凹状の受け皿部５３と、受け皿部５３の開放縁より外方に張り出す鍔部５４とから形成されている。このヨーク５において、各突片５０〜５２は鍔部５４の外周縁よりＬ字状に段下げさせて設けられている。
【００２３】
スプリング６，７は金属薄板材から打抜き成形したもので、図１並びに図２（図２では、片側６のみ図示）で示すようにヨーク５の受け皿部５３の外周に内径で嵌り合う内輪部６０，７０と、ハウジング１の径内に外周で嵌り合う外輪部６１，７１と、両輪部６０，６１、７０，７１の円周方向等間隔毎に等距離ずつ延びて内輪部６０，７０と外輪部６１，７１とを連結する三つ程度の均等間隔を保つ橋絡アーム部６２ａ〜６２ｃ，７２ａ〜７２ｃと、更に、相隣り合う橋絡アーム部６２ａ〜６２ｃ，７２ａ〜７２ｃの間隔内でヨーク５の各突片５０〜５２と相対位置する逃げ空間６３ａ〜６３ｃ，７３ａ〜７３ｃとを有するものが備えられている。
【００２４】
その他、ヨーク５の受け皿部５３の外周に嵌り合うストッパリング１０と、内径を浅い６角形状に縁取り形成したリングワッシャ１１と、スプリング６，７の外輪部６１，７１の間に挟み込むスぺーサリング１２が備えられている。
【００２５】
この各構成部から第１の発明に係る電磁誘導型アクチュエータ装置を組み立てるには、図３で示すようにヨーク５の各突片５０（以下、断面図の関係から見えるもののみを符号で示す。）を第１のスプリング６の相対する逃げ空間６３ａの内側に位置させて第１のスプリング６を内輪部６０でヨーク５の受け皿部５３の外周に嵌め込む。そのスプリング６は、内輪部６０がヨーク５の鍔部５４に当接するまで嵌込み装着する。また、ストッパリング１０をヨーク５の受け皿部５３の外周に嵌め込んで第１のスプリング６の内輪部６０を押える。
【００２６】
次に、ヨーク５の各突片５０を第２のスプリング７の逃げ空間７３ａと相対位置させて第２のスプリング７を内輪部７０でヨーク５の外周に嵌め込んで内輪部７０をストッパリング１０にあてがうと共に、リングワッシャ１１をヨーク５の受け皿部５３の外周に嵌め込んで第２のスプリング７の内輪部７０を押える。更に、スペーサリング１２を各スプリング６，７の外輪部６１，７１の間に挟み込むことにより一つのスプリング組立体として構成できる。
【００２７】
このスプリング組立体では、ヨーク５の各突片５０が第１のスプリング６の相対する逃げ空間６３ａの内側に位置すると共に、第２のスプリング７の逃げ空間７３ａと相対位置することにより、ヨーク５の各突片５０が第１並びに第２のスプリング６，７と当接するのを防げる。また、各スプリング６，７がヨーク５の受け皿部５３の外周に嵌め込んでヨーク５の厚み内に組み付けられているため、ヨーク５を含むスプリング６，７の組立厚みを薄く保てる。
【００２８】
それに加えて、一つのスプリング組立体として各構成部をハウジング１に組み付けずに構成できるため、ヨーク５を中心に、各構成部を容易に組み付けられるばかりでなく、第１並びに第２のスプリング６，７を組み付ける際に、ヨーク５の各突片５０〜５２を第１並びに第２のスプリング６，７の逃げ空間６３ａ〜６３ｃ，７３ａ〜７３ｃとを正確に位置決めさせて組み立てられる。
【００２９】
そのスプリング組立体は、スぺーサリング１２をスプリング６，７の外輪部６１，７１の間に挟み込んで、スペーサリング１２と共に、外輪部６１，７１をハウジング１の径内に嵌め込むことによりマグネット４，ポールピース８を含むヨーク５と一体にハウジング１の内部に組付け張設できる。
【００３０】
そのスプリング組立体は、第１のスプリング６の外輪部６１をハウジング１の開放口１ａの近くで径内に張り出す止め縁１ｃ〜１ｅで押え、更に、カバー９を立上り縁９ａでハウジング１の開放口１ｂに嵌め合せ、第２のスプリング７の外輪部７１をカバー９の立上り縁９ａで押えることによりハウジング１の内部に組付け固定できる。また、ダイアフラム２は磁気ギャップＧを隔ててコイル３をヨーク５並びにポールピース８と近接位置することによりハウジング１の開放口１ａに嵌め込み固定できる。このハウジング１の開放口１ａは、ダイアフラム２の外周部２ａを嵌め込む段部で形成されている。
【００３１】
このように構成する電磁誘導型アクチュエータ装置では、ヨーク５を厚みの薄いものに形成しても突片５０〜５２を設けることから、スプリング６，７の作動に要するウエイトを確保できる。また、その突片５０〜５２がヨーク５の外周縁に設けられていてもヨーク５の厚み方向に段下げさせてＬ字状に形成されているため、ヨーク全体のウエイトバランスを均等に保てる。
【００３２】
それに加えて、各スプリング６，７はダブルサスペンス構造で、スペーサリング１２を挟み込む外輪部６１，７１をハウジング１の止め縁１ｃ〜１ｅ並びにカバー９の立上り縁９aで押えることによりハウジング１の内部に安定よく組付け固定できる。従って、突片５０〜５２が各スプリング６，７に当たらないことは勿論、大きな振幅で振動バランスのよいものに容易に組み立てられると共に、良好な音響特性を発揮可能なものとして得られる。
【００３３】
その電磁誘導型アクチュエータ装置は、携帯電話，ページャ等の携帯用通信機器或いは腕時計，玩具等の小型機器に組付け装備できる。特に、携帯電話，ページャ等の携帯用通信機器に組付け装備するとよく、この携帯用通信機器は音響特性の良好なものに構成できる。
【００３４】
第２の発明に係る電磁誘導型アクチュエータ装置は、上述したヨーク５に代え、図４で示すように耐衝撃用のストッパとして外周縁よりハウジング１の壁内面に向けて突出位置する三個程度の均等間隔を保つ突片１０ａ’〜１０ｃ’を円周方向等間隔毎に設けたストッパリング１０’を備えて組み立てられている。この突片１０ａ’〜１０ｃ’は、ストッパリング１０’の厚みより多少薄い平板状に設けられている。
【００３５】
ヨーク５’としては、マグネット４を収容固定する断面凹状の受け皿部５ａ’と、受け皿部５ａ’の開放端より外方に張り出す鍔部５ｂ’とでなるものが備え付けられている。これ以外の構成部，即ち、ハウジング１、ダイアフラム２、コイル３、マグネット４、スプリング６，７、ポールピース８、カバー９、リングワッシャ１１、スペーサリング１２としては第１の発明に係る電磁誘導型アクチュエータのものと同じものが備えられている。
【００３６】
その各構成部から第２の発明に係る電磁誘導型アクチュエータ装置を組み立てるには、図５で示すように第１のスプリング６を内輪部６０でヨーク５’の受け皿部５ａ’の外周に嵌め込むと共に、ストッパリング１０’の各突片１０ａ’〜１０ｃ’を第１のスプリング６の逃げ空間６３ａ〜６３ｃと相対位置させてストッパリング１０’をヨーク５’の受け皿部５ａ’の外周に嵌め込むことによりスプリング６の内輪部６０を押える。
【００３７】
同様に、ストッパリング１０’の各突片１０ａ’〜１０ｃ’を第２のスプリング７の逃げ空間７３ａ〜７３ｃと相対位置し、第２のスプリング７を内輪部７０でヨーク５’の受け皿部５ａ’の外周に嵌め込んで内輪部７０をストッパリング１０’にあてがうと共に、リングワッシャ１１をヨーク５’の受け皿部５ａ’の外周に嵌め込んで第２のスプリング７の内輪部７０を押え、スペーサリング１２をスプリング６，７の外輪部６１，７１の間に挟み込むことによりスプリング組立体として構成できる。
【００３８】
そのスプリング組立体は、各スプリング６，７の外輪部６１，７１をハウジング１の径内に嵌め込むと共に、上述したと同様に第１のスプリング６の外輪部６１をハウジング１の止め縁１ｃ〜１ｅで押え、更に、カバー９を立上り縁９ａでハウジング１の開放口１ｂに嵌め合せると共に、第２のスプリング７の外輪部７１をカバー９の立上り縁９ａで押えることによりハウジング１の内部に張設できる。
【００３９】
このように構成する電磁誘導型アクチュエータ装置でも、ストッパリング１０’の各突片１０ａ’〜１０ｃ’を第１のスプリング６の逃げ空間６３ａ〜６３ｃと相対位置し、また、ストッパリング１０’の各突片１０ａ’〜１０ｃ’を第２のスプリング７の逃げ空間７３ａ〜７３ｃと相対位置することから、ストッパリング１０’の各突片１０ａ’〜１０ｃ’が第１並びに第２のスプリング６，７と当接するのを防げる。また、各スプリング６，７と共に、ストッパリング１０’がヨーク５’の厚み内に組み付けられるため、ヨーク５’を含むスプリング６，７の組立厚みを薄く保てる。
【００４０】
それに加えて、突片１０ａ’〜１０ｃ’をストッパリング１０’に設けることから、スプリング６，７の作動に要するウエイトを確保でき、また、突片１０ａ’〜１０ｃ’がスプリング６、７の間に介在するストッパリング１０’に設けられているため、ヨーク全体のウエイトバランスを均等に保てる。
【００４１】
スプリング６，７はダブルサスペンス構造で、スペーサリング１２を挟み込む外輪部６１，７１をハウジング１の止め縁１ｃ〜１ｅ並びにカバー９の立上り縁９aで押えることによりハウジング１の内部に安定よく組付け固定できる。従って、大きな振幅で振動バランスのよいものに容易に組み立てられると共に、良好な音響特性を発揮可能なものとして得られる。
【００４２】
その電磁誘導型アクチュエータ装置も、携帯電話，ページャ等の携帯用通信機器或いは腕時計，玩具等の小型機器に組付け装備できる。特に、携帯電話，ページャ等の携帯用通信機器に組付け装備するとよく、この携帯用通信機器は音響特性の良好なものに構成できる。
【００４３】
コイル３の配線構造は、図６で示すようにダイアフラム２の外周部２ａとセンターキャップ部２ｂとを深絞り成形部で分割形成し、コイル３のリード線３ａ（３ｂ）を分割成形個所より外部に引き出すよう構成するとよい。
【００４４】
そのダイアフラム２では、外周部２ａのフランジ部がコイル３の受け縁としてポールピース８の厚面位置まで延びる立ち壁部２０ａと、この立ち壁部２０ａより内方に向う張出し部２０ｂとから形成されている。一方、センターキャップ部２ｂのフランジ部がコイル３の押え縁としてポールピース８の外面位置まで延びる立ち壁部２１ａと、その立ち壁部２１ａより外方に向う張出し部２１ｂとから形成されている。
【００４５】
そのダイアフラム２には、コイル３の片側面より底面を受け縁となる外周部２ａの立ち壁部２０ａから張出し部２０ｂにあてがい、一方、コイル３の上面をセンターキャップ部２ｂの立ち壁部２１ａより連続する張出し部２１ｂで押えて接着固定することにより、コイル３のリード線３ａ（３ｂ）をセンターキャップ部２ｂの張出し部２１ｂより外部に引き出せると共に、ボイスコイル３を外周部２ａとセンターキャップ部２ｂの各フランジ部で挟み込んで安定よく組付け装備できる。
【００４６】
そのコイルの配線構造では、図７で示す（図１のものの組み立てられた平面図）ようにコイル３のリード線３ａ，３ｂをダイアフラム２の上部側から端子金具１ｈ，1ｉに結線できる。これにより、振動等に伴って、コイル３のリード線３ａ，３ｂがハウジング１の内部に収容された磁気回路部と接触するのを防げるため、コイル３のリード線３ａ，３ｂの断線を防止できる。
【００４７】
上述した実施の形態は最良の実施の形態としてスプリング６，７を二つ備えるダブルサスペンス構造の電磁誘導型アクチュエータに基づいて説明したが、スプリングを一つ備えて構成する電磁誘導型アクチュエータにも同様に適用することができる。
【００４８】
【発明の効果】
以上の如く、本発明の請求項１に係る電磁誘導型アクチュエータ装置に依れば、ヨークの各突片をスプリングの逃げ空間と相対位置させてスプリングを内輪部でヨークの外周に嵌め込み、そのスプリングを外輪部でハウジングの径内に嵌め込んでヨークと一体のスプリングをハウジングの内部に張設することにより、ヨークの各突片がスプリングと当接するのを防げ、また、ヨークを厚みの薄いものに形成しても突片を設けることからスプリングの作動に要するウエイトを確保でき、しかも、スプリングがヨークの厚み内に組み付けられているため、ヨークを含むスプリングの組立厚みを薄く保て、耐衝撃用のストッパとなる突片を設けても、ハウジングの径を小さく保てると共に、装置全体としての厚みも薄く抑えて薄型で小型なものに組み立てられる。
【００４９】
本発明の請求項２に係る電磁誘導型アクチュエータ装置に依れば、ヨークの各突片を第１のスプリングの相対する逃げ空間の内側に位置させて第１のスプリングを内輪部でヨークの外周に嵌め込むと共に、ストッパリングをヨークの外周に嵌め込んで第１のスプリングの内輪部を押え、更に、ヨークの各突片を第２のスプリングの逃げ空間と相対位置させて第２のスプリングを内輪部でヨークの外周に嵌め込んで内輪部をストッパリングにあてがうと共に、リングワッシャをヨークの外周に嵌め込んで第２のスプリングの内輪部を押え、第１並びに第２のスプリングを各外輪部でハウジングの径内に嵌め込んでヨークと一体のスプリングをハウジングの内部に張設することにより、ヨークの各突片がスプリングと当接するのを防げ、また、装置全体としての厚みも薄く抑えられて薄型で小型なものに組み立てられるばかりでなく、各構成部をヨークに位置決めさせて容易に組み付けられ、しかも、ヨークの厚み方向に段下げしたＬ字状の突片が設けられているため、ヨーク全体のウエイトバランスを均等に保ると共に、ダブルサスペンス構造のスプリングを備えて大きな振幅で振動バランスの良好な音響特性のよいものに組み立てられる。
【００５０】
本発明の請求項３に係る電磁誘導型アクチュエータ装置に依れば、スぺーサリングを各スプリングの外輪部の間に挟み込み、そのスプリングを各外輪部でハウジングの径内に嵌め込むと共に、第１のスプリングの外輪部をハウジングの開放口近くで径内に張り出す止め縁で押え、更に、カバーを立上り縁でダイアフラムと相対するハウジングの開放口に嵌め合せると共に、第２のスプリングの外輪部をカバーの立上り縁で押えてヨークと一体のスプリングをハウジングの内部に張設することにより、耐衝撃用のストッパとなる突片をヨークに設けるもので、振動バランスのよいものとして容易に組み立てられると共に、良好な音響特性を発揮可能なものに確実に組み立てられる。
【００５１】
本発明の請求項４に係る携帯用通信機器に依れば、請求項１から請求項３のいずれかに記載の電磁誘導型アクチュエータ装置を組み込むことにより音響特性のよいものに構成できる。
【００５２】
本発明の請求項５に係る電磁誘導型アクチュエータ装置に依れば、スプリングを内輪部でヨークの外周に嵌め込むと共に、ストッパリングの各突片をスプリングの逃げ空間と相対位置させてストッパリングをヨークの外周に嵌め込んでスプリングの内輪部を押え、このスプリングを外輪部でハウジングの径内に嵌め込んでヨークと一体のスプリングをハウジングの内部に張設することにより、ストッパリングの各突片がスプリングと当接するのを防げ、また、突片をストッパリングに設けることからスプリングの作動に要するウエイトを確保でき、しかも、スプリングがヨークの厚み内に組み付けられているため、ヨークを含むスプリングの組立厚みを薄く保て、耐衝撃用のストッパとなる突片を設けても、ハウジングの径を小さく保てると共に、装置全体としての厚みも薄く抑えて薄型で小型なものに組み立てられる。
【００５３】
本発明の請求項６に係る電磁誘導型アクチュエータ装置に依れば、第１のスプリングを内輪部でヨークの外周に嵌め込むと共に、ストッパリングの各突片を第１のスプリングの逃げ空間と相対位置させてストッパリングをヨークの外周に嵌め込んでスプリングの内輪部を押え、更に、ストッパリングの各突片を第２のスプリングの逃げ空間と相対位置させて第２のスプリングを内輪部でヨークの外周に嵌め込んで内輪部をストッパリングにあてがうと共に、リングワッシャをヨークの外周に嵌め込んで第２のスプリングの内輪部を押え、第１並びに第２のスプリングを各外輪部でハウジングの径内に嵌め込んでヨークと一体のスプリングをハウジングの内部に張設することにより、ストッパリングの各突片がスプリングと当接するのを防げ、また、装置全体としての厚みも薄く抑えられて薄型で小型なものに組み立てられるばかりでなく、各構成部をヨークに位置決めさせて容易に組み付けられ、しかも、突片をスプリングの間に介在するストッパリングに設けることによりヨーク全体のウエイトバランスを均等に保ると共に、ダブルサスペンス構造のスプリングを備えて大きな振幅で振動バランスの良好な音響特性のよいものに組み立てられる。
【００５４】
本発明の請求項７に係る電磁誘導型アクチュエータ装置に依れば、スぺーサリングを各スプリングの外輪部の間に挟み込み、そのスプリングを各外輪部でハウジングの径内に嵌め込むと共に、第１のスプリングの外輪部をハウジングの開放口近くで径内に張り出す止め縁で押え、更に、カバーを立上り縁でダイアフラムと相対するハウジングの開放口に嵌め合せると共に、第２のスプリングの外輪部をカバーの立上り縁で押えてヨークと一体のスプリングをハウジングの内部に張設することにより、耐衝撃用のストッパとなる突片をストッパリングに設けるもので、振動バランスのよいものとして容易に組み立てられると共に、良好な音響特性を発揮可能なものに確実に組み立てられる。
【００５５】
本発明の請求項８に係る携帯用通信機器に依れば、請求項５から請求項７のいずれかに記載の電磁誘導型アクチュエータ装置を組み込むことにより音響特性のよいものに構成できる。
【図面の簡単な説明】
【図１】本発明に係る一つの電磁誘導型のアクチュエータ装置を各構成部に分解させて示す斜視図である。
【図２】図１の構成部中でヨークとスプリングとの組付け構造を示す説明図である。
【図３】図１の各構成部により組み立てられた電磁誘導型のアクチュエータ装置を示す断面図である。
【図４】本発明に係る他の一つの電磁誘導型アクチュエータ装置を各構成部に分解させて示す斜視図である。
【図５】図４の各構成部により組み立てられた電磁誘導型のアクチュエータ装置を示す断面図である。
【図６】本発明に係る電磁誘導型アクチュエータ装置で取入れ可能なコイルの配線構造を示す説明図である。
【図７】図６のコイルの配線構造を取入れた図３の電磁誘導型アクチュエータ装置を示す平面図である。
【符号の説明】
１                    ハウジング
１ａ，１ｂ            ハウジングの開放口
１ｃ〜１ｅ            ハウジングの止め縁
２                    ダイアフラム
３                    コイル
４                    マグネット
５                    ヨーク
５０〜５２            ヨークの突片
５’                  ヨーク
６，７                スプリング
６０，７０            内輪部
６１，７１            外輪部
６２ａ〜６２ｃ        橋絡アーム部
７２ａ〜７２ｃ        橋絡アーム部
６３ａ〜６３ｃ        逃げ空間
７３ａ〜７３ｃ        逃げ空間
８                    ポールピース
９                    カバー
９ａ                  カバーの立上り縁
１０                  ストッパリング
１０’                ストッパリング
１０ａ’〜１０ｃ’    ストッパリングの突片
１１                  リングワッシャ
１２                  スペーサリング
Ｇ                    磁気ギャップ
【図１】
0004630957.tif 000002
【図２】
0004630957.tif 000003
【図３】
0004630957.tif 000004
【図４】
0004630957.tif 000005
【図５】
0004630957.tif 000006
【図６】
0004630957.tif 000007
【図７】
0004630957.tif 000008